(57)【要約】      （修正有）【課題】靴下の足底部の通気性，排湿性等を高め、温度，湿度等の過度の上昇を防止出来る靴下を提供する。【解決手段】丸編地よりなる足部５の足底面８の適宜コース間に、コース方向に延びるスリット９を配した靴下であって、前記スリットは、スリットの一側縁を構成する編地コースの第１コースの編糸と、スリットの他側縁を構成する編地コースの第２，第３コースの編糸とよりなり、第１コースの編糸のループは次コースの編糸が係止されていない目隠し状のループとし、第２コースの編糸は第３コースの編糸のループに流し編状に所定ウエール間止め糸として添えられ、所定ウエール間をスリットとした足底面にスリットを設けた。【選択図】図１
0003174600.tif 000002
【実用新案登録請求の範囲】
【請求項１】
丸編地よりなる足部の足底面の適宜コース間に、コース方向に延びるスリットを配した靴下であって、前記スリットは、スリットの一側縁を構成する編地コースの第１コースの編糸と、スリットの他側縁を構成する編地コースの第２，第３コースの編糸とよりなり、第１コースの編糸のループは次コースの編糸が係止されていない目隠し状のループとし、第２コースの編糸は第３コースの編糸のループに流し編状に所定ウエール間止め糸として添えられ、所定ウエール間をスリットとしたことを特徴とする足底面にスリットを設けてなる靴下。 
【考案の詳細な説明】
【技術分野】
【０００１】
本考案は、踵部と爪先部との間に丸編機により筒状に編成された足部の足底面に、コース方向に延在するスリットを編成して設けた靴下に関する。
【背景技術】
【０００２】
近時、胛部が開いた靴を履いた際に、靴下を着用しているのを見られるのを避けるために、着用時、靴の中に靴下が隠れる程度の高さに編成した靴下が作られている。
【０００３】
例えば、爪先部の袋状の生地と踵部の袋状の生地を前後に配し、それらの袋状の生地を環状布帛で連結したような靴下が考えられている（特許文献１）。このような靴下は、靴下の胛部と足底部に大きく円形の開口が出来、胛部の編地が外部から見られることは少なくなるが、足底の土踏まず部に生地が無いことにより靴を履いた際、靴底に直接足裏が接し、足裏部に熱が籠もり或は靴底部の湿度が高くなり感触を損なうことにもなった。
【先行技術文献】
【特許文献】
【０００４】
【特許文献１】特開２００２−３１７３０３号公報
【考案の概要】
【考案が解決しようとする課題】
【０００５】
本考案は、前記の点に鑑みて、靴下の足底部の通気性，排湿性等を高め、温度，湿度等の過度の上昇を防止出来るようにすることを目的とし、筒状に編成された靴下の足部の、足底面に、靴下のコース方向に延在する足底中心線と直交する、足底の幅方向に延びる、スリットを設けたことを特徴とする。
【課題を解決するための手段】
【０００６】
本考案は、丸編地よりなる筒状の足部の足底面の適宜コース間に、コース方向に延在するスリットを配した靴下であって、前記スリットは、スリットの一側縁を構成する編地コースの第１コースの編糸と、スリットの他側縁を構成する編地コースの第２，第３コースの編糸とよりなり、第１コースの編糸のループは次コースの編糸が係止されていない目隠し状のループとし、第２コースの編糸は第３コースの編糸のループに流し編状に所定ウエール間止め糸として添えられ、足底面の所定ウエール間にスリットを４形成した。
【考案の効果】
【０００７】
本考案靴下は、それを着用し履物を履いた際に履物内の湿度・温度の高まり易い足底部において、足部の足底部の適宜コース間の足底編地にコース方向に延びるスリットを設けたために、該部の足底部幅方向全面に良好な換気が行え、良好な着用感触を得ることが出来る。
【０００８】
コース方向に向かうスリットに接する第１の編糸には熱融着糸を用い編地編成後、該糸のループ接点を加熱融着してなるために、スリットに接するコースの組織が開き目のコースであってもスリットにほつれが生じスリットの形がくずれることはない。
【図面の簡単な説明】
【０００９】
【図１】本考案靴下の側面図。
【図２】同底面図。
【図３】地組織を平編とし中央にスリットを配して編成した靴下の足底部のスリット周囲の拡大組織図。
【考案を実施するための形態】
【００１０】
本考案靴下１の、実施の一例を図面と共に次に説明する。
図1に示す靴下1は、丸編靴下編機によって口編部２から編成を開始する。
環状に並列された複数の針によって、円筒状の口編部２の編地を所定コース数編成したとき、該円筒状編地の編み始めコースと口編部の最後のコースとを一体に編綴２ａし編地が二重に折り返されている口編部２とする。口編部２に続いて脚部３を筒状に適宜のコース数編成した後、踵部４の編成に移る。踵部４は環状に配した針の約半数の針を用い、編成が進むにつれて編幅、即ちウエール数を減少させることによって台形の編地４ａを往復編成し、所定の減少された編幅となった際に、次に編幅を増加させ、編幅が編み始めのウエール数に戻るまで台形の編地４ｂを台形の編地４ａと対称形に往復編成し、この間台形の編地４ａ，４ｂの両側縁の対向する斜辺同志を編綴することによって、台形の編地の両側の斜辺がそれぞれ一体化されゴアラインＧを形成し、袋状となった踵部４を形成する。上記の台形の編地４ａ，４ｂは図示しないが複数の台形の編地を長辺同士或は短辺同士連続することによって袋状の踵のふくらみを大きくすることも任意に出来る。
【００１１】
次に、足部５を編成する。踵部４の編成に用いた針と、踵部４の編成時には使用されず脚部３の編成に使用され、その後休止していた針を加え全針によって、足部５を筒状に編成し、最後に爪先部６の編成となる。
爪先部６は、足部５を編成した針の半数の針を用い往復編成すると同時に編成が進むにつれ編幅を減らす事によって台形の編地６ａを所定コース編成してから、逆に順次編幅を増加して台形の編地６ａと対称形の台形の編地６ｂを編成すると共に、重ねた各台形編地６ａ，６ｂの両側斜辺を編み綴じした袋状のものとし、爪先部６の最終コースと前記足部５の胛側の最終コースとの間をリンキング７或は縫製等適宜手段で閉じる。
【００１２】
本考案靴下１は、上記編成過程において、足部５を編成する際に足底部８の編地のコース間に添うスリット９を形成する。
本考案靴下１は、上記編成過程において、足部５を編成する際に、足底部８の前後方向中心線Ｘ−Ｘ線と直交する方向に向いて、即ち、例えば足底部８の土踏まず部位の編地のコース間にコース方向に延びるスリット９を形成したことを特徴としている。
【００１３】
スリット９の編成手段につき、次に説明する。
足底部８を含む足部５は筒状に編成されているが、図３に示す組織は、地組織を平編とし中央にスリット９を配して編成した靴下の足底部８のスリット９の周囲のみ拡大した図である。
足部５は、筒状に全針で編成を開始する。編地は第１コース（イ），第２コース（ロ），第３コース（ハ）の順に、環状に配された針に給糸され編地が編成されるが、図３に示す如く、スリット９の縁部の編地の第１コース（イ）の次にスリット９を、編地のコース方向に平行に入れようとする場合、環状に編成された足部５の足底部８の編地を環状に第１コース（イ）を編成した後、給糸状態にない（糸を持たない）他方の編成口を用い足底部８の編地のコース間に添うスリット９のウェール針を編成状態に操作しループを脱出させ、スリット９以外のウェールの針は未編成状態に操作し、ループをそのまま保持させる。図示の例ではウエール針列Ｂからウエール針列Ｙ間がスリット９となる。
【００１４】
このため第２コース（ロ）の編成に際して、編糸をウェールBからウェールＹの間に編み出し状態に位置させ、Ｚウェールからは通常通りの編目（平編）を継続する。次に第３コース（ハ）が編成されると上記スリット９に対位する第２コース（ロ）の糸は第３コース（ハ）の糸により編地のループに編み込まれ、ほつれ止糸の効果を発揮している。
【００１５】
第１コース（イ）の、スリット９に対向して位置するループ１０は上記第２コース（ロ）の如きほつれ止めの作用を発揮する組織とは云えない。従って、靴下使用中、強い外力が加わり、或は生地が揉まれたりした場合に、ループ１０が編地のほつれの原因ともなることが考えられる。
従って、足底面８のスリット９周囲の編地に組織の崩落が生じないように、例えば第１コース（イ）と、その前のコース糸に熱融着性の糸を用いて靴下編成後、靴下を加熱し、熱融着糸と他糸のループの接点を融着してループの崩れを防止することも行うことが出来る。
【００１６】
然し、上記の如き処理をせずとも、当該コースを編成する糸の性質を選び糸の表面が滑りにくい摩擦抵抗を有する糸或は組織織の崩れが生じにくい特徴を有する糸を用いる、或は、編糸の表面が搦まり易い微細な毛で被われているが如き編糸を用いることによって前記効果を発揮するようにしても良い。
【産業上の利用可能性】
【００１７】
本考案靴下にあっては、履物を履いた際に履物内で高まり易い、足底部における温度・湿度などを低下することを目的としているが、現在、体がアップの目的等で行われている水中ウォーキングの際などに本考案靴下を使用すれば、靴下を着用し水中に入った際の靴下内での水の滞留を防ぎ、肌と屈したとの間に過度の量の水が停滞することなく、安全に着用することが可能とすることが出来る。
【符号の説明】
【００１８】
１  靴下
２  口編部
３  脚部
４  踵部
５  足部
６  爪先部
７  リンキング
８  足底面
９  スリット
１０  ループ
Ｇ  ゴアライン 
【図１】
0003174600.tif 000003
【図２】
0003174600.tif 000004
【図３】
0003174600.tif 000005